【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
コンテキスト上関連するユーザインターフェースを提供する方法であって、
ドキュメントの中で編集するための第１オブジェクトの選択を受け取ると、前記選択された第１オブジェクトに隣接してコンテキスト上関連するユーザインターフェースを表示すること、
前記ユーザインターフェースに、前記選択された第１オブジェクトの少なくとも１つの属性に基づいて前記ユーザインターフェースの第１コンテキストを識別するためのコントロールを表示し、前記ユーザインターフェースに、前記ユーザインターフェースの前記第１コンテキストを、前記ドキュメントの中の第２オブジェクトの少なくとも１つの属性に基づいて前記ユーザインターフェースの第２コンテキストに変更するためのコントロールを表示すること、
前記ユーザインターフェースに、複数の機能のサブセットを表す少なくとも１つの選択可能なコントロールを表示することであって、前記複数の機能のサブセットは、前記選択された第１オブジェクトと同じ種類のオブジェクトを編集する際に少なくとも実質上最も多く使用される複数の機能の少なくとも１つを備える、そのような前記複数の機能のサブセットを表す少なくとも１つの選択可能なコントロールを表示すること、および
前記少なくとも１つの選択可能なコントロールの選択に応答して、書式設定イメージのギャラリーを提供することであって、書式設定イメージの前記ギャラリーは、前記選択された第１オブジェクトに適用される対応する書式設定属性と関連付けられている複数の書式設定イメージを含むものであり、前記書式設定イメージが選択され、前記対応する書式設定属性が前記選択された第１オブジェクトに適用され、各書式設定イメージもまた前記対応する書式設定属性のテキスト識別を含む場合に、前記書式設定イメージの各々が、前記ドキュメントがどのように見えるかに関するビジュアルな情報を提供する、そのような、書式設定イメージのギャラリーを提供すること
を備えることを特徴とする方法。
【請求項２】
前記１つまたは複数の選択可能なコントロールを、以前の使用頻度に基づいて前記ユーザインターフェースに階層的に表示することをさらに備えることを特徴とする請求項１に記載の方法。
【請求項３】
前記ユーザインターフェースに、異なるオブジェクトを編集するために前記ユーザインターフェースのコンテキストを変更するコントロールを表示し、前記ユーザインターフェースのコンテキストを変更する前記コントロールが選択されると、前記ユーザインターフェースに、前記異なるオブジェクトと同じ種類のオブジェクトを編集する際に少なくとも実質上最も多く使用される前記複数の機能の１つまたは複数を備える前記複数の機能の異なるサブセットを表す１つまたは複数の選択可能なコントロールを表示することをさらに備えることを特徴とする請求項１に記載の方法。
【請求項４】
前記ユーザインターフェースに、第２のユーザインターフェースに前記選択されたオブジェクトを編集するのに使用され得るすべての選択可能なコントロールの表示を生じさせるコントロールを表示することをさらに備えることを特徴とする請求項１に記載の方法。
【請求項５】
前記ユーザインターフェースに、それぞれが前記選択されたオブジェクトを編集するのに使用され得るソフトウェアアプリケーションの機能を表す付加的な選択可能なコントロールからなるグループを表す選択可能なコントロールを表示することをさらに備えることを特徴とする請求項１に記載の方法。
【請求項６】
前記選択可能なコントロールの１つまたは複数が選択されたことに応答して書式設定イメージギャラリが提供され、前記書式設定イメージギャラリに含まれる各書式設定イメージは、前記選択されたオブジェクトに適用され得る１つまたは複数の書式設定属性に関連付けられ、前記書式設定イメージの１つが選択されたことに応答して、前記選択された書式設定イメージに関連付けられた前記１つまたは複数の書式設定属性が前記選択されたオブジェクトに自動的に適用されることを特徴とする請求項１に記載の方法。
【請求項７】
書式設定イメージギャラリを提供することは、前記コンテキスト上関連するユーザインターフェースに隣接して展開される第２のユーザインターフェース内に前記書式設定イメージギャラリを提供することを含むことを特徴とする請求項６に記載の方法。
【請求項８】
改良された、コンテキスト上関連するユーザインターフェースを備えるシステムであって、
メモリ記憶装置と、
前記メモリ記憶装置に結合された処理装置であって、
ドキュメントの中の選択された第１オブジェクトに隣接して少なくとも１つの選択可能なコントロールのメニューを展開することであって、前記少なくとも１つの選択可能なコントロールは複数の機能のサブセットを表し、前記複数の機能の前記サブセットは、前記選択された第１オブジェクトと同じ種類のオブジェクトを編集する際に少なくとも実質上最も多く使用される前記複数の機能の少なくとも１つを備える、そのようなメニューを展開し、
前記選択された第１オブジェクトの少なくとも１つの属性に基づいて前記ユーザインターフェースの第１コンテキストを識別するためのコントロールを配置し、
前記ドキュメントの中の第２オブジェクトの少なくとも１つの属性に基づいて、前記ユーザインターフェースの前記第１コンテキストを前記ユーザインターフェースの第２コンテキストに変更するためのコントロールを配置し、
前記少なくとも１つの選択可能なコントロールの選択に応答して、書式設定イメージのギャラリーを提供することであって、書式設定イメージの前記ギャラリーは、前記選択された第１オブジェクトに適用される対応する書式設定属性と関連付けられている複数の書式設定イメージを含むものであり、前記書式設定イメージが選択され、前記対応する書式設定属性が前記選択された第１オブジェクトに適用され、各書式設定イメージもまた前記対応する書式設定属性のテキスト識別を含む場合に、前記書式設定イメージの各々が、前記ドキュメントがどのように見えるかに関するビジュアルな情報を提供する、そのような、書式設定イメージのギャラリーを提供するように動作する処理装置と
を備えることを特徴とするシステム。
【請求項９】
第２のユーザインターフェースに、前記選択されたオブジェクトを編集するのに使用され得る付加的な選択可能なコントロールの表示を選択的に生じさせる、前記メニューの下に配置されるコントロール
をさらに備えることを特徴とする請求項８に記載のシステム。
【請求項１０】
コンテキスト上関連するユーザインターフェースを提供する方法を、コンピュータによって実行されるときに行うコンピュータ実行可能命令を格納するコンピュータ可読媒体であって、前記方法は、
ドキュメントの中の編集するための第１オブジェクトの選択を受け取ると、前記選択された第１オブジェクトに隣接してコンテキスト上関連するユーザインターフェースを表示すること、
前記ユーザインターフェースに、前記選択された第１オブジェクトの少なくとも１つの属性に基づいて前記ユーザインターフェースの第１コンテキストを識別するためのコントロールを表示すること、
前記ユーザインターフェースに、前記ドキュメントの中の第２オブジェクトの少なくとも１つの属性に基づいて、前記ユーザインターフェースの前記第１コンテキストを前記ユーザインターフェースの第２コンテキストに変更するためのコントロールを表示すること、
前記ユーザインターフェースに、複数の機能のサブセットを表す少なくとも１つの選択可能なコントロールを表示することであって、前記複数の機能のサブセットは、前記選択された第１オブジェクトと同じ種類のオブジェクトを編集する際に少なくとも実質上最も多く使用される複数の機能の少なくとも１つを備える、そのような前記複数の機能のサブセットを表す少なくとも１つの選択可能なコントロールを表示すること、および
前記少なくとも１つの選択可能なコントロールの選択に応答して、書式設定イメージのギャラリーを提供することであって、書式設定イメージの前記ギャラリーは、前記選択された第１オブジェクトに適用される対応する書式設定属性と関連付けられている複数の書式設定イメージを含むものであり、前記書式設定イメージが選択され、前記対応する書式設定属性が前記選択された第１オブジェクトに適用され、各書式設定イメージもまた前記対応する書式設定属性のテキスト識別を含む場合に、前記書式設定イメージの各々が、前記ドキュメントがどのように見えるかに関するビジュアルな情報を提供する、そのような、書式設定イメージのギャラリーを提供することを備える
ことを特徴とするコンピュータ可読媒体。
【請求項１１】
前記１つまたは複数の選択可能なコントロールを、以前の使用頻度に基づいて前記ユーザインターフェースに階層的に表示することをさらに備えることを特徴とする請求項１０に記載のコンピュータ可読媒体。
【請求項１２】
前記ユーザインターフェースに、第２のオブジェクトを編集するために前記ユーザインターフェースのコンテキストを変更するコントロールを表示し、前記ユーザインターフェースのコンテキストを変更する前記コントロールが選択されると、前記ユーザインターフェースに、前記第２のオブジェクトと同じ種類のオブジェクトを編集する際に少なくとも実質上最も多く使用される前記複数の機能の１つまたは複数を備える前記複数の機能の第２のサブセットを表す１つまたは複数の選択可能なコントロールを表示することをさらに備えることを特徴とする請求項１０に記載のコンピュータ可読媒体。
【請求項１３】
前記ユーザインターフェースに、第２のユーザインターフェースに前記選択されたオブジェクトを編集するのに使用され得るすべての選択可能なコントロールの表示を生じさせるコントロールを表示することをさらに備えることを特徴とする請求項１０に記載のコンピュータ可読媒体。
【請求項１４】
前記ユーザインターフェースに、それぞれが前記選択されたオブジェクトを編集するのに使用され得るソフトウェアアプリケーションの機能を表す付加的な選択可能なコントロールからなるグループを表す選択可能なコントロールを表示することをさらに備えることを特徴とする請求項１０に記載のコンピュータ可読媒体。
【請求項１５】
前記書式設定イメージの１つが選択されたことに応答して、前記選択された書式設定イメージに関連付けられた前記少なくとも１つの書式設定が前記選択された第１オブジェクトに自動的に適用されることを特徴とする請求項１０に記載のコンピュータ可読媒体。
【請求項１６】
書式設定イメージギャラリを提供することは、前記コンテキスト上関連するユーザインターフェースに隣接して展開される第２のユーザインターフェース内に前記書式設定イメージギャラリを提供することを含むことを特徴とする請求項１５に記載のコンピュータ可読媒体。
【請求項１７】
コンテキスト上関連するユーザインターフェースを提供する方法を、コンピュータによって実行されるときに行うコンピュータ実行可能命令を格納するコンピュータ可読媒体であって、前記方法は、
ドキュメントの中の編集するための第１オブジェクトの選択を受け取ると、ソフトウェアアプリケーション作業領域の前記選択された第１オブジェクトの近くにコンテキスト上関連するユーザインターフェースを表示すること、
前記ユーザインターフェースに、前記選択された第１オブジェクトの少なくとも１つの属性に基づいて前記ユーザインターフェースのコンテキストを識別するためのコントロールを表示すること、
前記ユーザインターフェースに、前記選択された第１オブジェクトと同じ種類のオブジェクトを編集する際に少なくとも実質上最も多く使用される複数の機能の少なくとも１つを備える前記複数の機能のサブセットを表す少なくとも１つの選択可能なコントロールを表示することであって、複数の機能のサブセットを表す前記少なくとも１つの選択可能なコントロールは、以前の使用頻度に基づいて階層的である、そのようなコントロールを表示することと、
前記ユーザインターフェースに、前記ドキュメントの中の第２のオブジェクトを編集するために前記ユーザインターフェースのコンテキストを変更するためのコントロールを表示し、前記ユーザインターフェースのコンテキストを変更するための前記コントロールの選択に応答して、前記ユーザインターフェースに、前記第２のオブジェクトと同じ種類のオブジェクトを編集する際に少なくとも実質上最も多く使用される前記複数の機能の少なくとも１つを備える前記複数の機能の第２のサブセットを表す少なくとも１つの選択可能なコントロールを表示すること、および
前記ユーザインターフェースに、付加的な選択可能なコントロールのグループを表す選択可能なコントロールを表示することであって、前記付加的な選択可能なコントロールの各々は、前記選択された第１オブジェクトを編集するのに使用され得る前記ソフトウェアアプリケーションの機能を表すものである、そのような表示をすること、
前記選択された第１オブジェクトを編集するのに使用され得る付加的な選択可能なコントロールの表示を第２のユーザインターフェースに生じさせるコントロールを、前記ユーザインターフェースに表示することと、
前記少なくとも１つの選択可能なコントロールの選択に応答して、書式設定イメージのギャラリーを提供することであって、書式設定イメージの前記ギャラリーは、書式設定イメージの選択の際に前記選択された第１オブジェクトに適用される対応する書式設定属性と関連付けられている複数の書式設定イメージを含むものであり、書式設定イメージのギャラリーを提供することは、前記コンテキスト上関連するユーザインターフェースに隣接して配置される第２のユーザインターフェースの中に前記書式設定イメージのギャラリーを提供することを含み、前記書式設定イメージが選択され、前記対応する書式設定属性が前記選択された第１オブジェクトに適用され、各書式設定イメージもまた前記対応する書式設定属性のテキスト識別を含む場合に、前記書式設定イメージの各々が、前記ドキュメントがどのように見えるかに関するビジュアルな情報を提供する、そのような、書式設定イメージのギャラリーを提供すること、および
前記書式設定イメージの１つが選択されたことに応答して、前記選択された書式設定イメージに関連付けられた前記対応する書式設定属性が前記選択された第１オブジェクトに自動的に適用されること
を備えることを特徴とするコンピュータ可読媒体。